(57)【要約】【課題】  個々の動画像の内容を明確に理解させることが可能となる動画再生装置、及びそのプログラムを提供する。【解決手段】  動画再生時においてユーザーに任意の動画を選択させる際、表示画面上におけるプレビュー表示領域Ｐに第１の表示領域Ａと、それより小さな第２〜第４の表示領域Ｂ〜Ｄを確保する。第１の表示領域Ａには、対象となる動画像の先頭フレーム（Ｆｒｍ１）の静止画像からなる代表画像を表示し、第２〜第４の表示領域Ｂ〜Ｄには、対象となる動画像の１５０フレームおきの静止画像からなるサブ代表画像を表示する。さらに、第２〜第４の表示領域Ｂ〜Ｄに表示する複数のサブ代表画像を、後続する１５０フレームおきの静止画像に順に切り換える。【選択図】      図４
2005286671.tif 000002
【特許請求の範囲】
【請求項１】
記録媒体に動画データとして記録されている動画像を再生し表示手段に表示する動画再生装置において、
前記動画像における所定のフレームの静止画像からなるメイン代表画像と、各々が前記動画像における複数のフレームの静止画像からなる複数のサブ代表画像とを、メイン代表画像の大きさをサブ代表画像の大きさよりも大きくして前記表示手段に共に表示させる表示制御手段を備えたことを特徴とする動画再生装置。
【請求項２】
前記記録媒体に記録されている動画データから、前記メイン代表画像と前記複数のサブ代表画像との静止画データをそれぞれ取得する取得手段を備え、
前記表示制御手段は、前記取得手段により静止画データが取得される毎に、取得された静止画データに基づきメイン代表画像と複数のサブ代表画像とを表示手段に表示させることを特徴とする請求項１記載の動画再生装置。
【請求項３】
前記記録媒体に記録されている動画データから、前記メイン代表画像と前記複数のサブ代表画像との静止画データをそれぞれ取得する取得手段と、
この取得手段により取得された静止画データを前記動画データに付随させて前記記録媒体に記録させる制御手段とを備え、
前記表示制御手段は、前記記録媒体に前記動画データに付随して記録されている前記静止画データに基づきメイン代表画像と複数のサブ代表画像とを表示手段に共に表示させることを特徴とする請求項１記載の動画再生装置。
【請求項４】
前記表示制御手段は、前記複数のサブ代表画像のそれぞれを前記表示手段における複数の表示領域に同時に表示させることを特徴とする請求項１，２又は３記載の動画再生装置。
【請求項５】
前記表示制御手段が複数の表示領域に同時に表示させる複数のサブ代表画像のそれぞれを、各サブ代表画像が対応するフレーム番号に応じた順に切り換える切換手段を備えたことを特徴とする請求項４記載の動画再生装置。
【請求項６】
記録媒体に動画データとして記録されている動画像を表示手段に表示する動画再生装置が有するコンピュータを、
前記動画像における所定のフレームの静止画像からなるメイン代表画像と、各々が前記動画像における複数のフレームの静止画像からなる複数のサブ代表画像とを、メイン代表画像の大きさをサブ代表画像の大きさよりも大きくして前記表示手段に共に表示させる表示制御手段として機能させるためのプログラム。
【請求項７】
記録媒体に動画データとして記録されている動画像を再生し表示手段に表示する動画再生装置において、
再生する動画像の選択に際し、前記記録媒体に記録されている動画像における複数のフレームの静止画像がフレーム番号に応じた順に並んだ表示領域を含むプレビュー画像を前記表示手段に表示させる表示制御手段と、
この表示制御手段により前記表示領域に表示される複数の静止画像を、その更新対象を順に切り換えながら、それ以後のフレーム番号の静止画像に順に切り換える切換手段と
を備えたことを特徴とする動画再生装置。
【請求項８】
記録媒体に動画データとして記録されている動画像を表示手段に表示する動画再生装置が有するコンピュータを、
再生する動画像の選択に際し、前記記録媒体に記録されている動画像における複数のフレームの静止画像がフレーム番号に応じた順に並んだ表示領域を含むプレビュー画像を前記表示手段に表示させる表示制御手段と、
この表示制御手段により前記表示領域に表示される複数の静止画像を、その更新対象を順に切り換えながら、それ以後のフレーム番号の静止画像に順に切り換える切換手段と
して機能させるためのプログラム。
【請求項９】
記録媒体に動画データとして記録されている動画像を再生し表示手段に表示する動画再生装置において、
再生する動画像の選択に際し、前記記録媒体に記録されている動画像における複数のフレームの静止画像がフレーム番号に応じた順に並んだ表示領域を含むプレビュー画像を前記表示手段に表示させるとともに、表示させた複数の静止画像を、それ以後のフレーム番号の静止画像を順に連結しながらスクロールさせる表示制御手段を備えたことを特徴とする動画再生装置。
【請求項１０】
記録媒体に動画データとして記録されている動画像を表示手段に表示する動画再生装置が有するコンピュータを、
再生する動画像の選択に際し、前記記録媒体に記録されている動画像における複数のフレームの静止画像がフレーム番号に応じた順に並んだ表示領域を含むプレビュー画像を前記表示手段に表示させるとともに、表示させた複数の静止画像を、それ以後のフレーム番号の静止画像を順に連結しながらスクロールさせる表示制御手段として機能させるためのプログラム。
【請求項１１】
記録媒体に動画データとして記録されている動画像を再生し表示手段に表示する動画再生装置において、
再生する動画像の選択に際し、前記表示手段の同一の表示領域に、前記記録媒体に記録されている動画像における所定のフレーム区間の静止画像を連続して表示させる表示制御手段を備えたことを特徴とする動画再生装置。
【請求項１２】
前記表示制御手段は、前記表示手段の複数の表示領域に、前記記録媒体に記録されている動画像における複数のフレーム区間の静止画像を、フレーム区間毎に表示領域を順に切り換えながら連続して表示させることを特徴とする請求項１１記載の動画再生装置。
【請求項１３】
記録媒体に動画データとして記録されている動画像を表示手段に表示する動画再生装置が有するコンピュータを、
再生する動画像の選択に際し、前記表示手段の同一の表示領域に、前記記録媒体に記録されている動画像における所定のフレーム区間の静止画像を連続して表示させる表示制御手段として機能させるためのプログラム。
【発明の詳細な説明】
【技術分野】
【０００１】
本発明は動画再生装置、及びそのプログラムに関するものである。
【背景技術】
【０００２】
従来、メモリカード等に記録されている複数の動画データを閲覧できるシステム、例えば動画撮影が可能なデジタルカメラを含む各種の動画再生装置においては、各々の動画データを代表するいわゆるプレビュー画像（インデックス画像）を一覧表示させることにより、ユーザーに対して個々の動画データの概要を教えていた。なお、プレビュー画像としては、動画データの先頭フレームの静止画像や、動画データの概要を示すのに都合のよいフレームの静止画像が使用されていた。
【０００３】
一方、動画データの概要をより理解しやすくするための方法として、例えば下記特許文献１には、１つの動画像データに対して複数枚のサムネイルを作成し、１つの動画像データに対する複数枚のサムネイルをコマ送りで表示する方法が記載されている。なお、複数枚のサムネイルは、周期的に抽出したフレームの静止画像やシーンチェンジ直後のフレームの静止画像とする旨が記載されている。また、下記特許文献２には、動画データをストリーム表示したり、コマ送り表示したりすることによって、動画データの中からサムネイル化する複数のフレームをユーザーに指定させ、指定されたフレームの静止画像を動画データに対応付けて記録しておき、代表画像の一覧表示からユーザーによって任意の動画データが指定されたら、それに対応する複数の静止画像をサムネイル表示（一覧表示）する方法が記載されている。
【特許文献１】特開平１１−２８４９４８号公報（第５頁、図３）
【特許文献２】特開２０００−３２４３８８号公報（第５頁、図８）
【発明の開示】
【発明が解決しようとする課題】
【０００４】
本発明は、上述した従来の方法とは異なる方法によって、例えば動画再生時においてユーザーに任意の動画を選択させる際、個々の動画像の内容を明確に理解させることが可能となる動画再生装置、及びそのプログラムを提供することを目的とする。
【課題を解決するための手段】
【０００５】
前記課題を解決するため請求項１の発明にあっては、記録媒体に動画データとして記録されている動画像を再生し表示手段に表示する動画再生装置において、前記動画像における所定のフレームの静止画像からなるメイン代表画像と、各々が前記動画像における複数のフレームの静止画像からなる複数のサブ代表画像とを、メイン代表画像の大きさをサブ代表画像の大きさよりも大きくして前記表示手段に共に表示させる表示制御手段を備えたものとした。
【０００６】
かかる構成においては、各々が動画像中のフレームの静止画像である大きなメイン代表画像と、それよりも小さな複数のサブ代表画像とによって、動画像の途中の内容をユーザーに把握させることができる。
【０００７】
また、請求項２の発明にあっては、前記記録媒体に記録されている動画データから、前記メイン代表画像と前記複数のサブ代表画像との静止画データをそれぞれ取得する取得手段を備え、前記表示制御手段は、前記取得手段により静止画データが取得される毎に、取得された静止画データに基づきメイン代表画像と複数のサブ代表画像とを表示手段に表示させるものとした。
【０００８】
かかる構成においては、より多くのサブ代表画像を効率的に表示できる。
【０００９】
また、請求項３の発明にあっては、前記記録媒体に記録されている動画データから、前記メイン代表画像と前記複数のサブ代表画像との静止画データをそれぞれ取得する取得手段と、この取得手段により取得された静止画データを前記動画データに付随させて前記記録媒体に記録させる制御手段とを備え、前記表示制御手段は、前記記録媒体に前記動画データに付随して記録されている前記静止画データに基づきメイン代表画像と複数のサブ代表画像とを表示手段に共に表示させるものとした。
【００１０】
かかる構成においては、メイン代表画像と複数のサブ代表画像とを直ちに表示することができる。
【００１１】
また、請求項４の発明にあっては、前記表示制御手段は、前記複数のサブ代表画像のそれぞれを前記表示手段における複数の表示領域に同時に表示させるものとした。
【００１２】
かかる構成においては、動画像の途中の内容を直ちにユーザーに把握させることができる。
【００１３】
また、請求項５の発明にあっては、前記表示制御手段が複数の表示領域に同時に表示させる複数のサブ代表画像のそれぞれを、各サブ代表画像が対応するフレーム番号に応じた順に切り換える切換手段を備えたものとした。
【００１４】
かかる構成においては、動画像の途中の内容を時間とともにより多くユーザーに把握させることができる。
【００１５】
また、請求項６の発明にあっては、記録媒体に動画データとして記録されている動画像を表示手段に表示する動画再生装置が有するコンピュータを、前記動画像における所定のフレームの静止画像からなるメイン代表画像と、各々が前記動画像における複数のフレームの静止画像からなる複数のサブ代表画像とを、メイン代表画像の大きさをサブ代表画像の大きさよりも大きくして前記表示手段に共に表示させる表示制御手段として機能させるためのプログラムとした。
【００１６】
また、請求項７の発明にあっては、記録媒体に動画データとして記録されている動画像を再生し表示手段に表示する動画再生装置において、再生する動画像の選択に際し、前記記録媒体に記録されている動画像における複数のフレームの静止画像がフレーム番号に応じた順に並んだ表示領域を含むプレビュー画像を前記表示手段に表示させる表示制御手段と、この表示制御手段により前記表示領域に表示される複数の静止画像を、その更新対象を順に切り換えながら、それ以後のフレーム番号の静止画像に順に切り換える切換手段とを備えたものとした。
【００１７】
かかる構成においては、動画像の途中の内容を時間とともにより多くユーザーに把握させることができる。
【００１８】
また、請求項８の発明にあっては、記録媒体に動画データとして記録されている動画像を表示手段に表示する動画再生装置が有するコンピュータを、再生する動画像の選択に際し、前記記録媒体に記録されている動画像における複数のフレームの静止画像がフレーム番号に応じた順に並んだ表示領域を含むプレビュー画像を前記表示手段に表示させる表示制御手段と、この表示制御手段により前記表示領域に表示される複数の静止画像を、その更新対象を順に切り換えながら、それ以後のフレーム番号の静止画像に順に切り換える切換手段として機能させるためのプログラムとした。
【００１９】
また、請求項９の発明にあっては、記録媒体に動画データとして記録されている動画像を再生し表示手段に表示する動画再生装置において、再生する動画像の選択に際し、前記記録媒体に記録されている動画像における複数のフレームの静止画像がフレーム番号に応じた順に並んだ表示領域を含むプレビュー画像を前記表示手段に表示させるとともに、表示させた複数の静止画像を、それ以後のフレーム番号の静止画像を順に連結しながらスクロールさせる表示制御手段を備えたものとした。
【００２０】
かかる構成においては、動画像の途中の内容を時間とともにより多くユーザーに把握させることができる。
【００２１】
また、請求項１０の発明にあっては、記録媒体に動画データとして記録されている動画像を表示手段に表示する動画再生装置が有するコンピュータを、再生する動画像の選択に際し、前記記録媒体に記録されている動画像における複数のフレームの静止画像がフレーム番号に応じた順に並んだ表示領域を含むプレビュー画像を前記表示手段に表示させるとともに、表示させた複数の静止画像を、それ以後のフレーム番号の静止画像を順に連結しながらスクロールさせる表示制御手段として機能させるためのプログラムとした。
【００２２】
また、請求項１１の発明にあっては、記録媒体に動画データとして記録されている動画像を再生し表示手段に表示する動画再生装置において、再生する動画像の選択に際し、前記表示手段の同一の表示領域に、前記記録媒体に記録されている動画像における所定のフレーム区間の静止画像を連続して表示させる表示制御手段を備えたものとした。
【００２３】
かかる構成においては、動画像の途中の内容を、そのままの動きによって表示させることにより、動画像の途中の内容を時間とともにより多くユーザーに把握させることができる。
【００２４】
また、請求項１２の発明にあっては、前記表示制御手段は、前記表示手段の複数の表示領域に、前記記録媒体に記録されている動画像における複数のフレーム区間の静止画像を、フレーム区間毎に表示領域を順に切り換えながら連続して表示させるものとした。
【００２５】
かかる構成においては、動画像の途中の内容を、複数の表示領域に時系列で、そのままの動きによって表示させることにより、動画像の途中の内容を時間とともにより多くユーザーに把握させることができる。
【００２６】
また、請求項１３の発明にあっては、記録媒体に動画データとして記録されている動画像を表示手段に表示する動画再生装置が有するコンピュータを、再生する動画像の選択に際し、前記表示手段の同一の表示領域に、前記記録媒体に記録されている動画像における所定のフレーム区間の静止画像を連続して表示させる表示制御手段として機能させるためのプログラムとした。
【発明の効果】
【００２７】
以上のように、請求項１〜５の発明においては、各々が動画像中のフレームの静止画像である大きなメイン代表画像と、それよりも小さな複数のサブ代表画像とによって、動画像の途中の内容をユーザーに把握させることができるようにした。よって、動画像の内容をユーザーに明確に理解させることが可能となる。
【００２８】
それに加え、請求項２の発明においては、より多くのサブ代表画像を効率的に表示することができ、請求項３の発明においては、メイン代表画像と複数のサブ代表画像とを直ちに表示することができる。また、請求項４の発明においては、動画像の途中の内容を直ちにユーザーに把握させることができる。さらに請求項５の発明においては、動画像の途中の内容を時間とともにより多くユーザーに把握させるようにした。よって、動画像の内容をユーザーに一層明確に理解させることが可能となる。
【００２９】
また、請求項７，９の発明においても、動画像の途中の内容を時間とともにより多くユーザーに把握させることができるようにした。よって、動画像の内容をユーザーに一層明確に理解させることが可能となる。
【００３０】
また、請求項１１の発明においては、動画像の途中の内容を、そのままの動きによって表示させることにより、動画像の途中の内容を時間とともにより多くユーザーに把握させることができるようにした。よって、動画像の内容をユーザーにより一層明確に理解させることが可能となる。
【００３１】
それに加え、請求項１２の発明においては、動画像の途中の内容を、複数の表示領域に時系列順に、そのままの動きによって表示させることにより、動画像の途中の内容を時間とともにより多くユーザーに把握させることができるようにした。よって、動画像の内容をユーザーにさらに一層明確に理解させることが可能となる。
【発明を実施するための最良の形態】
【００３２】
以下、本発明の一実施の形態を図にしたがって説明する。
（実施形態１）
図１は、本発明に係るデジタルカメラのブロック図である。このデジタルカメラは、静止画の記録、及び再生機能に加え、動画の記録、及び再生機能を備えたものであって、動画撮影モードにより記録媒体であるＳＤカード１に記録した動画データに基づく動画を再生し、それをＬＣＤ（液晶表示装置）１３に表示させる構成を備えている。
【００３３】
ＳＤカード１には、ＭＰＥＧ４ファイル（以下、動画ファイルという。）が１又は複数記録されており、ＳＤカード１はＳＤカード・インターフェース２を介してバス３に接続されている。バス３には、メインマイコン４と、撮像部５、ＭＰＥＧ４デコーダ６、解像度変換部７、汎用メモリ８、表示メモリ９、表示制御部１０、プログラムメモリ１１がそれぞれ接続されている。またメインマイコン４にはキー入力部１２が接続され、表示制御部１０にはＬＣＤ１３が接続されている。
【００３４】
撮像部３は、被写体像を結像する光学系や、光学系の駆動機構に設けられているレンズモータ、光学系により結像された被写体を光電変換により撮像するＣＣＤ等の撮像素子、撮像素子が出力した撮像信号の増幅やデジタル信号への変換等を行う信号処理回路等からなり、デジタルの撮像信号をバス３を介してメインマイコン４やＭＰＥＧ４デコーダ６へ送る。
【００３５】
キー入力部１２は、シャッタキーや画像選択キー、動作モードを設定するモードキー、電源スイッチ等の各種の操作キーから構成されている。キー入力部１２には、メインマイコン４から割り込み処理によってスキャン信号が逐次送られており、ユーザーによって、いずれかの操作キーが操作されると、その操作信号が制御装置２によって検出される。  ＭＰＥＧ４デコーダ６はＭＰＥＧ４形式の動画データの圧縮伸張を行う。すなわち動画記録時には、撮像部５からバス３を介して入力した動画データを圧縮してＳＤカード１へ出力する。また、動画再生時には、メインマイコン４によってＳＤカード１から読み出された動画ファイルを伸張して、フレーム毎の画像データとして出力する。
【００３６】
解像度変換部７は、動画再生時にＭＰＥＧ４ファイルから出力されたフレーム毎の画像データを、メインマイコン４により指示された所定の画像サイズに変換し、表示メモリ９に順次出力する。また必要に応じて、メインマイコン４の作業用のメモリである汎用メモリ８にも出力する。表示制御部１０は表示メモリ９上の画像データに基づく表示信号を生成することによりＬＣＤ１３に動画像を表示させる。なお、表示制御部１０は、動画像等の表示に必要なＬＣＤ１３の制御信号も生成する。
【００３７】
メインマイコン４は、プログラムメモリ１１に記録されているプログラムに基づき、ユーザーによるキー操作に応じたキー操作信号に応じて前述した各部を制御することにより、本発明の表示制御手段、取得手段、切換手段として機能する。
【００３８】
次に、以上の構成からなるデジタルカメラにおいてユーザーに選択された動画のプレビュー表示動作を行うときの動作を説明する。プレビュー表示動作は、ユーザーに再生すべき動画ファイルを選択させるとき、その概要を示す後述するプレビュー画像を表示するための動作である。なお、以下の説明において、再生すべき動画像をユーザーに指定させる際、ＳＤカード１に記録されている動画ファイルのファイル名をＬＣＤ１３の画面上に一覧表示するとともに、ユーザーに、キー入力部１２のキー操作による所望するファイルの選択、及び決定を行わせるものとし、その間、選択中のファイルについて逐次実施するものとする。また、プレビュー画像は、ファイル名を一覧表示している領域とは異なる所定のプレビュー表示領域に表示するものとする。
【００３９】
図２及び図３は、デジタルカメラにおけるプレビュー表示動作に関する処理手順を示すフローチャート、図４及び図５は動作説明図である。
【００４０】
以下、説明すると、デジタルカメラはいずれかの動画ファイルが選択されることに伴い動作を開始し、選択された動画ファイル１００中のＦｒｍｌの動画データ（フレームデータ１）をＳＤカードから読み出し、汎用メモリ８に書き込み（ステップＳＡ１）、それを読み出してＭＰＥＧ４デコーダ６で伸長し、その結果を汎用メモリ８に書き込む（ステップＳＡ２）。そして、汎用メモリ８からＦｒｍｌの伸長結果、すなわち先頭の静止画データを読み出し、解像度変換部７において前述したプレビュー表示領域Ｐ（図４参照）内に確保した第１の表示領域Ａの大きさに相当する解像度に変換後、第１の表示領域Ａに対応する表示メモリ９のメモリ領域に書き込む（ステップＳＡ３、図４で「表示（１）」）。
【００４１】
次に、Ｆｒｍ１５１の動画データをＳＤ力一ド１から読み出し、汎用メモリ８に書き込み（ステップＳＡ４）、それを読み出してＭＰＥＧ４デコーダ６で伸長し、その結果を汎用メモリ８に書き込む（ステップＳＡ５）。そして、汎用メモリ８からＦｒｍ１５１の伸長結果（静止画データ）を読み出し、解像度変換部７において、プレビュー表示領域Ｐ内に第１の表示領域Ａの下辺側に並べて確保した、各々が第１の表示領域Ａよりも小さな第２〜第４の表示領域Ｂ，Ｃ，Ｄの中の左端に位置する第２の表示領域Ｂの大きさに相当する解像度に変換後、第２の表示領域Ｂに対応する表示メモリ９のメモリ領域に書き込む（ステップＳＡ６、図４で「表示（２）」）。
【００４２】
引き続き、ステップＳＡ４〜ＳＡ６と同様の手順によって、Ｆｒｍ３０１の静止画データを、中央に位置する第３の表示領域Ｃと対応する表示メモリ９のメモリ領域に書き込み（ステップＳＡ７〜ＳＡ９、図４で「表示（３）」）、さらにＦｒｍ４５１の静止画データを、右端に位置する第４の表示領域Ｄと対応する表示メモリ９のメモリ領域に書き込む（ステップＳＡ１０〜ＳＡ１２、（図４で「表示（４）」）。
【００４３】
以上の処理によりプレビュー表示領域Ｐに、動画像の先頭フレーム（Ｆｒｍｌ）の静止画像である代表画像２００ａと、各々が途中フレーム（Ｆｒｍ１５１，３０１，４５１）の静止画像である第１〜第３のサブ代表画像２００ｂ〜２００ｄとからなるプレビュー画像２００を表示する（図５（ａ）参照）。
【００４４】
また、上記プレビュー画像２００を表示した後には、図３に示したように、ユーザーによるキー操作がなければ（ステップＳＡ１３でＮＯ）、動画ファイル１００中に第１のサブ代表画像２００ｂの４５０フレーム先のフレームデータが存在するかどうかを確認し、それが存在していれば（ステップＳＡ１４でＹＥＳ）、表示メモリ９における第２の表示領域Ｂの静止画データに、４５０フレーム先のフレーム（当初はＦｒｍ６０１）の静止画データを上書きして、第１のサブ代表画像２００ｂを更新する（ステップＳＡ１５、図５（ｂ）参照））。
【００４５】
また、ユーザーによるキー操作がなければ（ステップＳＡ１６でＮＯ）、動画ファイル１００中に第２のサブ代表画像２００ｃの４５０フレーム先のフレームデータが存在するかどうかを確認し、それが存在していれば（ステップＳＡ１７でＹＥＳ）、表示メモリ９における第３の表示領域Ｃの静止画データに、４５０フレーム先のフレーム（当初はＦｒｍ７５１）の静止画データを上書きして、第２のサブ代表画像２００ｃを更新する（ステップＳＡ１８、図５（ｃ）参照）。
【００４６】
また、ユーザーによるキー操作がなければ（ステップＳＡ１９でＮＯ）、動画ファイル１００中に第３のサブ代表画像２００ｄの４５０フレーム先のフレームデータが存在するかどうかを確認し、それが存在していれば（ステップＳＡ２０でＹＥＳ）、表示メモリ９における第４の表示領域Ｄの静止画データに、４５０フレーム先のフレーム（当初はＦｒｍ９０１）の静止画データを上書きして、第３のサブ代表画像２００ｄを更新する（ステップＳＡ２１、図５（ｄ）参照）。
【００４７】
以後、ステップＳＡ１３へ戻り、前述した処理を繰り返すことにより、代表画像２００ａを変更せずに、第１〜第３のサブ代表画像２００ｂ〜２００ｄを、更新対象を順に切り換えながら、それ以降のフレーム番号の静止画像に更新する（図５（ｅ）参照）。そして、その間に、第１〜第３のサブ代表画像２００ｂ〜２００ｄのいずれかを更新対象とした時点で４５０フレーム先のフレームデータがなくなったときには（ステップＳＡ１４，ＳＡ１７，ＳＡ２０のいずれかがＮＯ）、図２のステップＳＡ４の処理に戻り、前述した第１〜第３のサブ代表画像２００ｂ〜２００ｄの静止画像をいったん当初のフレーム番号の静止画像に戻してから、再び更新する。また、その間にユーザーにより何らかの操作があったときには（ステップＳＡ１３，ＳＡ１６，ＳＡ１９のいずれかでＹＥＳ）、操作に応じた処理に移行する（ステップＳＡ２２）。例えば決定操作があったときには選択中の動画像の再生処理に移行する。なお、選択操作があったとき、すなわち他の動画ファイルが新たに選択されたときには、上述した全ての処理を最初から実行することとなる。
【００４８】
以上のように、本実施の形態においては、選択中の動画像の代表画像２００ａと共に、各々が動画像の途中フレームの静止画像である第１〜第３のサブ代表画像２００ｂ〜２００ｄをプレビュー画像２００として同時に表示したことから、それらの複数の静止画像によって、選択中の動画像の概要をユーザーに明確に理解させることができる。また、代表画像２００ａを第１〜第３のサブ代表画像２００ｂ〜２００ｄよりも大きく表示するため、例えばユーザーが動画ファイルを次々と選択して各々の概要を確認する操作を行う場合においては、個々の動画ファイルについて強い印象を残させることができるため、都合がよい。
【００４９】
さらに、本実施の形態では、第１〜第３のサブ代表画像２００ｂ〜２００ｄを、更新対象を順に変えながらそれ以降のフレーム番号の静止画像に更新するようにしたことから、動画像の途中の内容を時間とともにより多くユーザーに把握させることができ、動画像の概要をユーザーにより一層明確に理解させることができる。
【００５０】
なお、本実施の形態においては、代表画像２００ａとして動画像の先頭フレーム（Ｆｒｍ１）の静止画像を使用するようにしたが、他のフレームの静止画像を使用してもよい。例えば、動画像中において先行するフレームとの間における内容の変化が大きな変化点となるフレームを検索し、そのフレームの静止画像を使用してもよい。また、予めユーザーに使用するフレームを指定させ、その静止画データを使用してもよい。但し、その場合には、使用フレームの指定、及び指定されたフレームを示す情報（フレームや静止画データ）を、動画ファイル１００に埋め込む等の方法により、動画ファイル１００と関連付けてＳＤカード１に記録する事前処理が別途必要となる。
【００５１】
また、第１〜第３のサブ代表画像２００ｂ〜２００ｄとして使用する静止画像のフレームを、動画像の全フレーム中における１５０フレーム毎のフレームとしたが、その間隔は任意であり、また等間隔でなくともよい。また、代表画像２００ａと共に、３枚の静止画像を第１〜第３のサブ代表画像２００ｂ〜２００ｄとして表示させるようにしたが、代表画像２００ａと共に表示するサブ代表画像の枚数は適宜変更してもよく、さらにプレビュー表示領域Ｐの大きさ等に応じて適宜増減するようにしてもよい。
【００５２】
また、プレビュー画像２００を当初表示する際、代表画像２００ａと第１〜第３のサブ代表画像２００ｂ〜２００ｄとにおけるデコード、解像度変換、表示メモリ８への書き込みといった処理を個別に行うようにしたが、プレビュー画像２００の表示に関する処理手順は必要に応じて変更してもよく、また、代表画像２００ａよりも先に第１〜第３のサブ代表画像２００ｂ〜２００ｄを表示させてもよい。
【００５３】
また、第１〜第３のサブ代表画像２００ｂ〜２００ｄは必ずしも更新させなくともよい。その場合には、代表画像２００ａと第１〜第３のサブ代表画像２００ｂ〜２００ｄのデータを、本実施の形態のようにプレビュー表示動作時に生成せずに、それ以前の時点、例えば動画ファイルの記録する時点において予め生成し、それを動画ファイル１００に埋め込む等の方法により、動画ファイル１００と関連付けてＳＤカード１に記録しておき、プレビュー表示動作時には、それらを読み出して表示させるようにしてもよい。
【００５４】
また、本実施の形態のように第１〜第３のサブ代表画像２００ｂ〜２００ｄを更新する場合には、プレビュー画像２００から代表画像２００ａを廃止するようにしてもよい。その場合においても、動画像の途中の内容を時間とともにより多くユーザーに把握させることはできるため、それによって動画像の概要をユーザーにより明確に理解させることができる。また、本実施の形態では、当初プレビュー画像２００を表示した後、直ちに第１〜第３のサブ代表画像２００ｂ〜２００ｄを更新するようにしたが、一定の時間をおいて更新するようにしてもよい。さらには、ユーザーによる所定の操作を待ってから更新するようにしてもよい。
【００５５】
また、本実施の形態においては、プレビュー画像２００の表示に際しては、その当初からプレビュー表示領域Ｐに第１〜第４の表示領域Ａ〜Ｄとを確保しておくようにしたが、第１〜第３のサブ代表画像２００ｂ〜２００ｄの更新の有無に関係なく、例えば図６に示したように、当初においては各表示領域を設けることなく、プレビュー表示領域Ｐの全域に代表画像２００ａを表示させた後、同図（ａ）〜（ｃ）に示したように、代表画像２００ａの一部を徐々に隠すように第１〜第３のサブ代表画像２００ｂ〜２００ｄを順にスクロールによって表示させることによって、同図（ｄ）に示したようなプレビュー画像２００を表示させるようにしてもよい。
【００５６】
また、第１〜第３のサブ代表画像２００ｂ〜２００ｄの配置は適宜変更してもよく、例えば図７に示したように、代表画像２００ａの周囲（図ではプレビュー画像２００の３つの角部分）に配置するようにしてもよい。
【００５７】
（実施形態２）
次に、本発明の第２の実施の形態を説明する。本実施の形態は、第１の実施の形態で説明したものと同様の構成を備えたデジタルカメラにおいて、プログラムメモリ１１に、プレビュー表示動作に際し、図２によって既説した処理に続き図８のフローチャートに示した処理を実施するためのプログラムが格納されているものである。
【００５８】
すなわち本実施の形態においては、いずれかの動画ファイルが選択されることに伴い、前述したプレビュー画像２００を表示した後には、図８に示したように、ユーザーによるキー操作がなければ（ステップＳＢ１でＮＯ）、動画ファイル１００に第３のサブ代表画像２００ｄの１５０フレーム先のフレームデータが存在するかどうかを確認し、それが存在していれば（ステップＳＢ２でＹＥＳ）、１５０フレーム先のフレーム（当初はＦｒｍ６０１）の静止画データを取得し、汎用メモリ８に書き込む（ステップＳＢ３）。
【００５９】
この後、ユーザーによるキー操作がなければ（ステップＳＢ４でＮＯ）、第２〜第４の表示領域Ｂ〜Ｄに対応する表示メモリ８のメモリ領域内のデータについて、第２の表示領域Ｂの左端部分の表示データを消去し、その分だけ全データを左方にシフトさせる（ステップＳＢ５）。さらに、それにより生じた第３の表示領域Ｃの右端の空き部分に対応する表示メモリ９のメモリ領域に、汎用メモリ８における１５０フレーム先のフレームの静止画データを左端側から順に書き込み（ステップＳＢ６）、その静止画データを全て表示メモリ９のメモリ領域に書き込むまでは（ステップＳＢ７でＮＯ）、ユーザーによるキー操作がなければ（ステップＳＢ４でＮＯ）、ステップＳＢ５，ＳＢ６の処理を繰り返す。これにより、図９（ａ）〜（ｃ）に示したように、プレビュー画像２００において、既に表示されている第３のサブ代表画像２００ｄの右側に１５０フレーム先のフレームの静止画データを連結して、第２〜第４の表示領域Ｂ〜Ｄの全表示画像を左方へスクロールさせる。
【００６０】
その後、１５０フレーム先の静止画データを全て表示し、ステップＳＢ７の判別結果がＹＥＳとなったら（図９（ｄ）参照）、ステップＳＢ１へ戻り、前述した処理を繰り返すことにより、表示中の第３のサブ代表画像２００ｄの右側に、１５０フレーム先の新たな静止画データを順次連結しながらのスクロール表示を継続する（図９（ｅ）参照）。
【００６１】
そして、その間に、１５０フレーム先のフレームデータがなくなったときには（ステップＳＢ２でＮＯ）、図２のステップＳＡ４の処理に戻り、前述した第１〜第３のサブ代表画像２００ｂ〜２００ｄの静止画像をいったん当初のフレーム番号の静止画像に戻してから、再び上述したスクロール表示を行う。また、その間にユーザーにより何らかの操作があったときには（ステップＳＢ１，ＳＢ４のいずれかでＹＥＳ）、操作に応じた処理に移行する（ステップＳＢ８）。例えば決定操作があったときには選択中の動画像の再生処理に移行する。なお、選択操作があったとき、すなわち他の動画ファイルが新たに選択されたときには、上述した全ての処理を最初から実行することとなる。
【００６２】
以上のように、本実施の形態においては、第１〜第３のサブ代表画像２００ｂ〜２００ｄをスクロールさせ、順次それ以降のフレーム番号の静止画像を新たなサブ代表画像として表示させるようにした。これによっても第１の実施の形態と同様、動画像の途中の内容を時間とともにより多くユーザーに把握させることができ、動画像の概要をユーザーにより一層明確に理解させることができる。
【００６３】
なお、本実施の形態においても、代表画像２００ａとして動画像の先頭フレーム（Ｆｒｍ１）以外の他のフレームの静止画像を使用してもよい。また、第２〜第４の表示領域Ｂ〜Ｄには、動画像の全フレーム中における１５０フレーム毎の静止画像を順に表示させるようにしたが、その間隔は任意であり、また等間隔でなくともよい。また、代表画像２００ａと共に同時に表示するサブ代表画像の枚数は適宜変更してもよく、さらにプレビュー表示領域Ｐの大きさ等に応じて適宜増減するようにしてもよい。
【００６４】
また、代表画像２００ａや、プレビュー表示動作の開始当初に表示する第１〜第３のサブ代表画像２００ｂ〜２００ｄのデータは、本実施の形態のようにプレビュー表示動作時に生成せずに、それ以前の時点において予め生成しておくようにしてもよい。
【００６５】
また、本実施の形態においても、プレビュー画像２００から代表画像２００ａを廃止するようにしてもよい。その場合においても、動画像の途中の内容を時間とともにより多くユーザーに把握させることはできるため、それによって動画像の概要をユーザーにより明確に理解させることができる。また、当初プレビュー画像２００を表示した後、直ちに第１〜第３のサブ代表画像２００ｂ〜２００ｄスクロールさせるようにしたが、一定の時間をおいて更新するようにしたり、さらには、ユーザーによる所定の操作を待って更新するようにしてもよい。
【００６６】
（実施形態３）
次に、本発明の第３の実施の形態を説明する。本実施の形態は、第１の実施の形態で説明したものと同様の構成を備えたデジタルカメラにおいて、プログラムメモリ１１に、プレビュー表示動作に際して、図１０のフローチャートに示した処理を実施するためのプログラムが格納されているものである。なお、本実施の形態においてもプレビュー表示領域Ｐ内には、第１及び第２の実施の形態と同様、第１の表示領域Ａと、それよりも小さな第２〜第４の表示領域Ｂ，Ｃ，Ｄが確保されている。
【００６７】
本実施の形態のデジタルカメラにおいては、ファイル名を一覧表示しているとき、いずれかの動画ファイルが選択されると、まず第１の表示領域Ａに、選択された動画ファイル１００の先頭フレーム（Ｆｒｍｌ）の静止画像、つまり代表画像２００ａを表示する（ステップＳＣ１）。ここで、ユーザーによるキー操作がなければ（ステップＳＣ２でＮＯ）、第２の表示領域Ｂに、選択中の動画像の１５１フレームから３０フレーム分の静止画像を、途中フレームを間引くことなく連続表示する。つまり部分的な動画再生を行う（ステップＳＣ３、図１１（ａ）参照）。引き続きユーザーによるキー操作がなければ（ステップＳＣ４でＮＯ）、第３の表示領域Ｃに、選択中の動画像の３０１フレームから３０フレーム分の静止画像を、途中フレームを間引くことなく連続表示し（ステップＳＣ５、図１１（ｂ）参照）、さらに、ユーザーによるキー操作がなければ（ステップＳＣ６でＮＯ）、第４の表示領域Ｄに、選択中の動画像の４５１から３０フレーム分の静止画を、途中フレームを間引くことなく連続表示する（ステップＳＣ７、図１１（ｃ）参照）。
【００６８】
また、この後には、ユーザーによるキー操作がなければ（ステップＳＣ８でＮＯ）、第２の表示領域Ｂに、そのときの表示画像（当初は１８０）に対して４２０フレーム先から３０フレーム分の静止画像を、途中フレームを間引くことなく連続表示する（ステップＳＣ９、図１１（ｄ）参照）。引き続きユーザーによるキー操作がなければ（ステップＳＣ１０でＮＯ）、第３の表示領域Ｃについても、そのときの表示画像（当初は３３０）に対して４２０フレーム先から３０フレーム分の静止画像を、途中フレームを間引くことなく連続表示し（ステップＳＣ１１、図１１（ｅ）参照）、さらに、ユーザーによるキー操作がなければ（ステップＳＣ１２でＮＯ）、第４の表示領域Ｄについても、そのときの表示画像（当初は４８０）に対して４２０フレーム先から３０フレーム分の静止画像を、途中フレームを間引くことなく連続表示する（ステップＳＣ１３）。その後、ステップＳＣ８へ戻り、ステップＳＣ１３までの処理を繰り返す。
【００６９】
また、ステップＳＣ８〜ＳＣ１３の処理を繰り返す間に、ユーザーにより何らかの操作があったときには（ステップＳＣ２，ＳＣ８等のいずれかでＹＥＳ）、操作に応じた処理に移行する（ステップＳＣ１４）。例えば決定操作があったときには、選択中の動画像の再生処理に移行する。なお、図１０においては省略したが、第２〜第４の表示領域Ｂ，Ｃ，Ｄのいずれかの表示領域に部分的な動画再生を行っている間に、最終フレームの静止画像に達したときには、その時点でステップＳＣ２へ戻り、それ以降処理を再び実行する。また、選択操作があったとき、すなわち他の動画ファイルが新たに選択されたときには、上述した全ての処理を最初から実行することとなる。
【００７０】
以上のように、本実施の形態においては、動画像の途中の内容を、そのままの動きによって表示させることにより、動画像の途中の内容を時間とともにより多くユーザーに把握させることができる。したがって、動画像の概要をユーザーにより一層明確に理解させることができる。
【００７１】
なお、本実施の形態においても、第１及び第２の実施の形態で述べように、代表画像２００ａとして動画像の先頭フレーム（Ｆｒｍ１）以外の他のフレームの静止画像を使用してもよく、また、代表画像２００ａのデータについては、本実施の形態のようにプレビュー表示動作時に生成せずに、それ以前に予め生成しておくようにしてもよい。
【００７２】
また、本実施の形態では、第２〜第４の表示領域Ｂ〜Ｄに、１５０フレームおきの部分動画像を順に再生して表示するようにしたが、そのフレーム間隔は任意であり、また等間隔でなくともよい。また、代表画像２００ａと共に表示する部分動画像の表示領域を３箇所としたが、その数は適宜変更してもよく、プレビュー表示領域Ｐの大きさ等に応じて適宜増減するようにしてもよい。また、プレビュー表示領域Ｐ内における配置も任意である。また、それらの１又は複数の表示領域の大きさについても任意であり、例えば表示領域を１箇所とする場合には、代表画像２００ａと同じ大きさとしても構わない。
【００７３】
さらに、本実施の形態においても、プレビュー画像２００から代表画像２００ａを廃止するようにしてもよい。その場合においても、動画像の途中の内容を、そのままの動きで表示させることによって、動画像の途中の内容を時間とともにより多くユーザーに把握させることができ、動画像の概要をユーザーにより一層明確に理解させることができる。
【００７４】
また、本実施の形態においては、代表画像２００ａを表示した後、直ちに第２〜第４の表示領域Ｂ，Ｃ，Ｄの順に、部分動画像の表示を開始するようにしたが、第１及び第２の実施の形態と同様の手順で第２〜第４の表示領域Ｂ，Ｃ，Ｄに１５０フレーム毎の静止画像である第１〜第３のサブ代表画像２００ｂ〜２００ｄをいったん表示した後、一定の間隔をおいてから、前述した動画再生を開始するようにしたり、さらには、ユーザーによる所定の操作を待ってから動画再生を開始するようにしてもよい。
【００７５】
また、以上説明した各実施の形態においては、前述したプレビュー表示動作を、動画ファイルのファイル名をＬＣＤ１２の画面上に一覧表示した状態で任意のファイルがユーザーに選択されたとき、その動画ファイルについて実施するものとしたが、前述したプレビュー表示動作は以下のような場合に行うようにしてもよい。
【００７６】
例えばＬＣＤ１３の画面サイズが小さい場合等において、再生候補の動画ファイルを順に送り表示する毎に、そのときの動画ファイルを対象として前述したプレビュー表示動作を行うようにしてもよい。また、動画ファイルを一覧表示するとき、キー操作による選択の有無に関係なく、全ての動画ファイルを対象として前述したプレビュー表示動作を行うようにしてもよい。
【００７７】
また、本発明を、動画像の記録及び再生機能を備えたデジタルカメラに採用した場合について説明したが、これに限らず本発明は、動画再生機能を備えたものであれば、例えばデジタルビデオカメラ、カメラ付き携帯電話機、カメラ付きＰＤＡ、カメラ付きパーソナルコンピュータ等の種々の電子カメラ装置にも採用することができる。その場合においても、前述した効果を得ることができる。
【００７８】
さらに、例えばアナログのテレビ放送の放送画像やビデオ入力端子から入力された動画像を記録し、それらを必要に応じて再生する機能を有する録画装置やパーソナルコンピュータにも採用することができる。また、上記いずれの装置においても、動画像を記録する記録媒体は前述したＳＤカードのような半導体メモリに限らずハードディスク等の他の記録媒体であってもよい。
【図面の簡単な説明】
【００７９】
【図１】各実施の形態に共通するデジタルカメラのブロック図である。
【図２】第１の実施の形態におけるプレビュー表示動作の処理手順を示すフローチャートである。
【図３】図２に続くフローチャートである。
【図４】プレビュー表示動作に関する動作説明図である。
【図５】プレビュー画像の変化を示す遷移図である。
【図６】プレビュー表示動作の開始当初における第１〜第３のサブ代表画像の他の表示形態を示す図である。
【図７】プレビュー表示動作の開始当初における第１〜第３のサブ代表画像の他の表示形態を示す図である。
【図８】第２の実施の形態におけるプレビュー表示動作の処理手順を示すフローチャートである。
【図９】プレビュー画像の変化を示す遷移図である。
【図１０】第３の実施の形態におけるプレビュー表示動作の処理手順を示すフローチャートである。
【図１１】プレビュー画像の表示方法を示す遷移図である。
【符号の説明】
【００８０】
１    ＳＤカード
４    メインマイコン
５    撮像部
６    ＭＰＥＧ４デコーダ
９    表示メモリ
１０    表示制御部
１１    プログラムメモリ
１３    ＬＣＤ
１００    動画ファイル
２００    プレビュー画像
２００    当初プレビュー画像
２００ａ    代表画像
２００ｂ    第１のサブ代表画像
２００ｃ    第２のサブ代表画像
２００ｄ    第３のサブ代表画像
Ａ    第１の表示領域
Ｂ    第２の表示領域
Ｃ    第３の表示領域
Ｄ    第４の表示領域
Ｐ    プレビュー表示領域
【図１】
2005286671.tif 000003
【図２】
2005286671.tif 000004
【図３】
2005286671.tif 000005
【図４】
2005286671.tif 000006
【図５】
2005286671.tif 000007
【図６】
2005286671.tif 000008
【図７】
2005286671.tif 000009
【図８】
2005286671.tif 000010
【図９】
2005286671.tif 000011
【図１０】
2005286671.tif 000012
【図１１】
2005286671.tif 000013